(57)【要約】ワイヤレス通信機器（２）のためのプッシュツートーク（ＰＴＴ）ユーザインターフェースは、単一の全コンタクトデータベースを利用する。このデータベースは、「ＰＴＴコンタクト」（２２）リストスクリーンまたは「全コンタクト」（２４）リストスクリーンにおいて、ユーザにより更新、利用される。ＰＴＴコンタクトは、ユーザにより規定され、ワイヤレス機器に格納される。ユーザは、ＰＴＴコンタクトリストスクリーンから複数のコンタクトを選択することにより、一つのグループの「特別の」ＰＴＴコールを生成し得る。ＰＴＴコールの間、ユーザは、アクティブＰＴＴコールに別のパーティを追加するため、または参加者情報を保存および編集するための種々のスクリーンを見ることができる。アクティブなＰＴＴコールの間、ワイヤレス通信機器は、別の着信ＰＴＴコールの通知を提供し、ユーザが、新たなコールに切り替えることを可能にする。
2007513592.tif 000002
【特許請求の範囲】
【請求項１】
ワイヤレス通信機器上にて、ダイレクトＰＴＴコールに参加する方法であって、該方法は、
単一のコンタクトデータベースにコンタクト情報を追加するステップであって、該コンタクト情報が複数のコンタクト名を含み、ＰＴＴコンタクト番号および標準の電話番号のうちの少なくとも一つが該複数のコンタクト名のうちのそれぞれのコンタクト名に関連する、ステップと、
コンタクトリストスクリーンおよびＰＴＴコンタクトリストスクリーンのうちの一つを含む、選択スクリーンを表示するステップであって、該コンタクトリストスクリーンは該複数のコンタクト名を表示し、該ＰＴＴコンタクトリストスクリーンは該ＰＴＴコンタクト番号を有する該それぞれのコンタクト名を表示する、ステップと、
該コンタクトリストスクリーンおよび該ＰＴＴコンタクトリストスクリーンのうちの一つの上に、該複数のコンタクト名からコールされるコンタクトを選択するステップと、
該コールされる選択されたコンタクトにＰＴＴコールを開始するステップと
を包含する、方法。
【請求項２】
前記標準の電話番号が陸線番号またはセル式番号である、請求項１に記載の方法。
【請求項３】
前記コールされるコンタクトを選択するステップが、前記コンタクトリストスクリーンおよび前記ＰＴＴコンタクトスクリーンのうちの一つから該コールされるコンタクトまでスクロールすることを包含する、請求項１に記載の方法。
【請求項４】
前記コンタクト情報を追加するステップが、
前記ＰＴＴコンタクト番号を有する前記複数のコンタクト名のサブセットを含むＰＴＴグループコンタクトを作成するステップと、
名前を該ＰＴＴグループコンタクトに割り当てるステップと
を包含し、前記コンタクトリストスクリーンおよび前記ＰＴＴコンタクトリストスクリーンがＰＴＴグループコンタクト名を表示する、請求項１に記載の方法。
【請求項５】
前記コールされる選択されたコンタクトが前記ＰＴＴグループコンタクトである、請求項４に記載の方法。
【請求項６】
前記コールされるコンタクトを選択するステップが、特別のコールされるグループを形成するために、複数のコールされるコンタクトを選択することを包含する、請求項１に記載の方法。
【請求項７】
前記開始するステップが、前記ワイヤレス通信機器上にて、ＰＴＴボタンを押すことを包含する、請求項１に記載の方法。
【請求項８】
前記選択スクリーンを表示するステップが、コンタクトリストスクリーン、ＰＴＴコンタクトリストスクリーン、およびコール履歴スクリーンのうちの一つを含む選択スクリーンを表示するステップを包含する、請求項１に記載の方法。
【請求項９】
前記開始されたＰＴＴコールが前記コールされる選択されたコンタクトに接続された場合に、インコールスクリーンを表示するステップであって、該インコールスクリーンが、コール情報のタイプ、コール状態情報、およびソフトキーオプションを提供する、ステップをさらに包含する、請求項１に記載の方法。
【請求項１０】
メニューオプション、コンタクトオプション、およびグループオプションのうちの少なくとも一つを含むソフトキーオプションを選択するステップと、
該ソフトキーの選択に応じて、コンタクト管理スクリーンを表示するステップと、
前記接続されたＰＴＴコールに参加していることを継続している間に、該コンタクト管理スクリーンを介して、前記単一のコンタクトデータベースを更新するステップと
をさらに包含する、請求項９に記載の方法。
【請求項１１】
前記コールされる選択されたコンタクトにＰＴＴコールを開始するステップが、該コールされる選択されたコンタクトにアラートを送信するために、アラートオプションを選択するステップをさらに包含する、請求項１に記載の方法。
【請求項１２】
前記アラートメッセージがテキストメッセージを含む、請求項１１に記載の方法。
【請求項１３】
前記開始されたＰＴＴコールが、前記コールされる選択されたコンタクトに接続された場合に、インコールスクリーンを表示するステップであって、該インコールスクリーンが、コール情報のタイプ、コール状態情報、および複数のソフトキーオプションを提供する、ステップと、
該複数のソフトキーオプションのうちの一つのソフトキーオプションを選択するステップであって、該ソフトキーオプションが、前記ＰＴＴコンタクトリストスクリーンをコールする、ステップと、
該ＰＴＴコンタクトリストスクリーン上の前記複数のコンタクト名からコールされる追加のコンタクトを選択するステップと、
該コールされる追加のコンタクトを、前記ダイレクトＰＴＴコールに追加するために、参加ソフトキーを選択するステップと
をさらに包含する、請求項１に記載の方法。
【請求項１４】
ワイヤレス通信機器上にて、ダイレクトＰＴＴコールに参加する方法であって、該方法は、
発呼者からダイレクトＰＴＴコールを受信するステップと、
聞き取り状態、会話状態、および発言権フリー状態を含むコール状態情報を提供するために、インコールスクリーンを表示するステップと、
「発言権を得る」ため、および、該会話状態に入るために、ＰＴＴボタンを押すステップと、
該聞き取り状態および該発言権フリー状態のうちの一つに入るために、該ＰＴＴボタンを開放するステップと、
該発呼者に対して、単一のコンタクトデータベースにおけるコンタクト情報を更新するステップであって、該コンタクト情報が、該発呼者の名前、ならびに、該発呼者に関連するＰＴＴコンタクト番号および標準の電話番号のうちの少なくとも一つを含む、ステップと
を包含する、方法。
【請求項１５】
コンタクトリストスクリーンおよびＰＴＴコンピュータリストスクリーンのうちの一つを含む選択スクリーン上のコンタクト情報を承認するステップであって、該コンタクトリストスクリーンが該コンタクト名を表示し、該ＰＴＴコンタクトリストスクリーンが、関連するＰＴＴコンピュータ番号が存在する場合に、該コンタクト名を表示する、ステップをさらに包含する、請求項１４に記載の方法。
【請求項１６】
前記発呼者が単一のパーティであり、コンタクト情報を更新する該方法が、該単一のパーティに対して、該コンタクト情報を更新することを包含する、請求項１４に記載の方法。
【請求項１７】
前記発呼者が一グループであり、コンタクト情報を更新する前記方法が、グループコンタクト情報を、該グループのための前記単一のコンタクトデータベースに追加することを包含する、請求項１４に記載の方法。
【請求項１８】
ダイレクトプッシュツートーク（ＰＴＴ）コールに参加するためのワイヤレス通信機器であって、該ワイヤレス通信機器は、
コンタクト情報を格納するための単一のネイティブデータベースであって、該コンタクト情報が複数のコンタクト名を含み、ＰＴＴコンタクト番号および標準の電話番号のうちの少なくとも一つが、該複数のコンタクト名のそれぞれのコンタクト名に関連する、単一のネイティブデータベースと、
ネイティブユーザインターフェースであって、
該複数のコンタクト名を表示するためのコンタクトリストスクリーンであって、該コンタクトリストスクリーンが該複数のコンタクト名のうちの少なくとも一つのコンタクト名を選択する手段を有する、コンタクトリストスクリーンと、
複数のＰＴＴコンタクト名を表示するためのＰＴＴコンタクトリストスクリーンであって、該複数のＰＴＴコンタクト名が、該ＰＴＴコンタクト番号を有する該それぞれのコンタクト名を含み、該ＰＴＴコンタクトリストスクリーンが、該複数のＰＴＴコンタクト名のうちの少なくとも一つのＰＴＴコンタクト名を選択するための手段を有する、ＰＴＴコンタクトリストスクリーンと、
新しいコンタクト名を該複数のコンタクト名に追加するため、および、該複数のコンタクト名のうちの現行のコンタクト名を編集するための、少なくとも一つの管理コンタクトスクリーンと
を備える、ネイティブユーザインターフェースと、
少なくとも一つのコンタクト名において選択されたもの、および少なくとも一つのＰＴＴコンタクト名において選択されたもののうちの一つに対して、アラートコールおよびＰＴＴコールのうちの一つを開始するための手段と
を備える、機器。
【請求項１９】
前記コンタクト情報が少なくとも一つのグループコンタクト名をさらに備え、該グループコンタクト名が前記複数のコンタクト名のグループサブセットに関連する、請求項１８に記載の機器。
【請求項２０】
前記ＰＴＴコンタクトリストスクリーンが、前記複数のＰＴＴコンタクト名から、ＰＴＴコンタクト名のグループを選択するための手段をさらに備え、
前記ＰＴＴコールを開始する手段が、ＰＴＴコンタクト名の該選択されたグループに対して、グループの特別なＰＴＴコールを開始するために利用される、請求項１８に記載の機器。
【発明の詳細な説明】
【技術分野】
【０００１】
（関連出願）
本出願は、米国特許法１９９条（ｅ）の下、２００３年１２月８日に出願された、米国仮出願番号第６０／５２８，０５５号の利益を主張し、その全容は、本明細書に援用される。
【０００２】
（発明の分野）
本発明は一般に、電気通信システムに関し、より詳細には、プッシュツートークを可能にするワイヤレス通信機器のユーザインターフェースに関する。
【背景技術】
【０００３】
セル式ハンドセットなどのワイヤレス通信機器によって、ユーザは、リアルタイムの全二重音声会話、ページ、およびテキストメッセージングを含む、様々な方法において通信することが可能である。通信は、半二重プッシュツートーク（ＰＴＴ）機能を活用することもまた、提供され得る。すなわち、そこでユーザは、ユーザのハンドセット上のボタンを単に押すことによって、別のユーザまたは一群のユーザと会話することが可能である。プッシュツートーク機能は、ウォーキートーキー（ｗａｌｋｉｅ−ｔａｌｋｉｅ）通信において活用されるものと類似する。特に、ユーザがＰＴＴボタンを押し続けることによって、発言権を得る（ｓｅｉｚｅ  ｔｈｅ  ｆｌｏｏｒ）場合、一度に、一当事者のみが、聞き取ることが可能である。いったんボタンが放されると、ＰＴＴコール（ｃａｌｌ）における他の参加者が話す機会を有する。
【０００４】
プッシュツートーク性能は、短く簡単な通信、および効率的なグループ通信に対して、即時性の利点を提供する。従来の音声コールはおよそ二分半、持続し得る一方で、平均のＰＴＴコールは、およそ３０秒間、持続し得る。ＰＴＴ可能なハンドセットによって、呼出し者は、ボタンを押し続けることが可能であり、通信することを決める、２、３秒のうちに会話を始めることが可能であり、それは、受取り側が、着信コールを受け入れるための任意のアクションを取る前でさえでもある。この方法において、ＰＴＴに対する顧客の経験は、従来の音声コールよりも、はるかに「迅速」であり、従来の音声コールは、呼出し者が、受取り側がコールに応答するのを待機することを要求する。従って、プッシュツートーク通信は、迅速で簡単な通信に対して好都合であるが、それに対して、従来の音声電話コールはより長い会話に対して好都合である。
【０００５】
従来の音声コールとは異なり、プッシュツートーク通信は、一グループの人と迅速に通信をする効果的な方法である。従来のグループコール、または、「カンファレンスコール（ｃｏｎｆｅｒｅｎｃｅ  ｃａｌｌ）」はしばしば、所定の日時に話すこと、特定のカンファレンスの電話番号をダイヤルアップすること、および可能な場合、それらのグループを識別するための特定のアクセスコードを入力することを決定しなければならない多数の個人の調整を要求する。相対的に、グループのプッシュツートークコールは、ボタンが押されているときにおいて、自動かつ即時的である。個人は、グループから要求される、僅かな調整、または調整のないグループ通信の必要を識別する、２、３秒内で、ＰＴＴコールをそのグループに開始することができる。
【０００６】
プッシュツートーク通信の流行にもかかわらず、従来技術の通信機器、および、サービスプロバイダによって提供されるユーザインターフェース（ＵＩ）は、上述のＰＴＴ技術の、その最大限の利点を活用するための手段をサポートしない。例えば、図３ａを参照すると、第１のキャリアーは、全てのコンタクトを格納する単一のデータベース５８を提供する。個々のコンタクト５２は、単一のリスト形式において、ディスプレイ５０上にて、ユーザへ提示される。ユーザは、どのコンタクトがＰＴＴコンタクト番号（例えば、それぞれのコンタクトに隣接する小さなアイコン５４などによって示される）であるのかを決定しなければならない。単一のリストは、ユーザが特定のＰＴＴコンタクトを見出すために全てのコンタクトをスクロールしなければならないがゆえに、扱いづらい。付け加えて、ユーザのグループは、会話グループ番号５６によって規定され、その会話グループ番号５６は、ユーザのセル式サービスプロバイダによって設定されなければならない。従って、図３ａに示されるＰＴＴサービスでは、ユーザは迅速にＰＴＴコンタクトにアクセスすることができない。また、このタイプのサービスでは、ユーザは、特別（ａｄ  ｈｏｃ）に、自身の会話グループを規定することができない。
【０００７】
図３ｂは、現在のＰＴＴサービスの代替の方法を示す。二つの別個のデータベース６０、６４が維持されている。電話コンタクトデータベース６２は、電話コンタクト情報の全てを格納し、ＰＴＴコンタクトデータベース６８は、ＰＴＴコンタクト情報の全てを格納する。二つのデータベース６０、６４における情報は共有されない。従って、ユーザは、コールを電話コンタクトに配置し、および／または電話コンタクトデータを更新するためには、電話帳スクリーン６２にアクセスしなければならない。同様に、ユーザは、ＰＴＴコールを配置し、および／またはＰＴＴコンタクトデータを更新するためには、ＰＴＴコンタクトスクリーン６８にアクセスしなければならない。このタイプの構成は、ユーザが、同じコンタクト６６のために、両方のデータベースにおいて、別々の入力を維持する必要がある。従って、例えば、ユーザがコンタクト２に対して、コンタクト情報を入力することを望む場合、コンタクト名などの基本的な情報は、それぞれのデータベースに入力されなければならない。
【０００８】
それゆえ、個人または個人のグループへのコンタクトにアクセスし、それを格納および起動する、迅速且つ容易で効率的な手段を提供することによって、プッシュツートーク技術の使用を向上する、ユーザインターフェースの必要が存在する。
【発明の開示】
【課題を解決するための手段】
【０００９】
本発明の実施形態のうちの一つのＰＴＴユーザインターフェースおよびサポート処理は、「ＰＴＴコンタクト」リストスクリーンまたは「全てのコンタクト」リストスクリーンのいずれかにおいて、ユーザによって、更新および利用され得る、単一のコンタクトリストデータベースを利用する。これらのスクリーンは、ダイレクトプッシュツートークコール、グループプッシュツートークコール、アラートコールおよび標準のセル式コールのために利用される。ダイレクトＰＴＴによって、ユーザは、ＰＴＴコールを、たった一人の別のユーザに配置することが可能である。一つのグループの「特別の」ＰＴＴコールによって、ユーザは、それぞれのユーザを選択することによって、ＰＴＴコールをユーザのグループに配置することが可能である。呼出し者は、別のユーザに短いテキストメッセージを送信することによって、または、テキストメッセージ無しのアラートを送信することによって、個人に「アラート」することが可能である。
【００１０】
プッシュツートークコンタクトは、ユーザによって規定され、例えば、セル式ハンドセットなどの、ワイヤレス通信機器に格納される。ユーザはまた、特定のＰＴＴグループを規定することができ、それをハンドセットに格納することができる。一実施形態において、ＰＴＴコールが受信された場合、呼出し者の名前はハンドセット上に表示される。ＳＩＰ（Ｓｅｓｓｉｏｎ  Ｉｎｉｔｉａｔｅｄ  Ｐｒｏｔｏｃｏｌ）ＵＲＬ（Ｕｎｉｆｏｒｍ  Ｒｅｓｏｕｒｃｅ  Ｌｏｃａｔｏｒ）がユーザのコンタクトリストに含まれる場合、そのＳＩＰ  ＵＲＬに関連するハンドセットの格納名が表示される。さもなければ、そのＳＩＰ  ＵＲＬの名前部分は、名前として表示される。ＰＴＴグループコールが受信された場合、コールの発起人の名前が表示される。
【００１１】
グループコールの間、ユーザは、アクティブコールの参加者を閲覧するために選択することができる。ユーザがグループコールを逃した場合、ユーザは、コール履歴リストを用いることによって、遅れてコールに参加することができる。付け加えて、ユーザは、別のメンバーにアクティブＰＴＴコールを追加することができる。アクティブＰＴＴコールの間、ワイヤレス通信機器は、他の着信ＰＴＴコールの通知を提供し、ユーザが、「応答」、すなわち、新しいコールに切り替えることが可能である。
【００１２】
本発明の一実施形態はまた、ＰＴＴクライアントアプリケーションおよび電話特定のユーザインターフェースクライアントをダウンロードすることによって、ユーザに、ＰＴＴが可能でない（ｎｏｎ−ｅｎａｂｌｅｄ）機器から、ＰＴＴ可能な機器にアップグレードする性能を提供する。ＰＴＴクライアントは、ＰＴＴコールを確立することによって、ネットワークＰＴＴサーバとインタラクトする。電話特定のユーザインターフェースクライアントは、まさに、一つ以上のタイプのセル式電話対してにここで記載されたような、インコール（ｉｎ−ｃａｌｌ）スクリーンなどの、ユーザインターフェースを規定する。
【発明を実施するための最良の形態】
【００１３】
本発明の好ましい実施形態の構造および動作は、図中の添付された図面との関連において記載された、以下の詳細な記述からより良く理解され、同様の数字は類似した部分を参照する。
【００１４】
以下の詳細な記述は、技術的に一般に知られている多くの頭字語を利用する。定義は通常、便宜上、それぞれの頭字語の第１の例を提供する一方で、表１は以下で、頭字語および略語、ならびにそれらの個々の定義のリストを提供する。
【００１５】
【表１】
2007513592.tif 000003
本明細書で開示される所定の実施形態は、ワイヤレス通信機器、およびプッシュツートーク通信のためのユーザインターフェースに対して提供される。本記載を読了の後、様々な代替的な実施形態および代替的な応用において本発明をインプリメントする方法が、当業者には明らかになる。しかしながら、本発明の様々な実施形態が本明細書で開示されるが、これらの実施形態は例示のためのみであり、限定のためではないことは理解されたい。従って、様々な代替的な実施形態の詳細な記述は、添付された請求の範囲において説明される本発明の範囲または広さを限定するように解釈されるべきではない。
【００１６】
図１ａおよび図１ｂは、ここではハンドセット、ワイヤレス通信機器、携帯電話、セル式電話とも呼ばれる、本発明の一実施形態のモバイル通信機器２を示す。プッシュツートークセッションは、専用のＰＴＴ外部ボタン４、または、図１ａの閉じられた状態の構成、または、図１ｂの開いた状態の構成のいずれかにおけるキーによって制御され得る。また、例えば「送信」ボタン、「終了」ボタン、およびソフトキーなどの標準キー６も、以下でさらに記載されるような、ＰＴＴサービスの一部として使用され得る。ハンドセットディスプレイ１０は、ＰＴＴコールの状態の、一定のフィードバックスクリーンをユーザに提供する。付け加えて、ハンドセットのスピーカフォン８または受話口スピーカ（図示されず）は、現在のアクションまたはコールの状態に依存した様々なトーンの形式において、音声フィードバックをユーザに提供する。本発明の一実施形態において、プッシュツートークアプリケーションのトーンは、発声トーン、発言権において利用可能なトーン、発言権において利用不可能なトーン、受信アラートトーン、送信アラートトーン、およびコール到着トーンを含む。本発明の代替的な実施形態において、受話口スピーカはまた、スピーカフォンである。
【００１７】
図３３は、例示的なワイヤレス通信ネットワーク６００を示す、ハイレベルのブロック図であり、通信ネットワーク６００は、図１ａおよび図１ｂの通信機器２を用いて使用され得る。例示されたワイヤレス通信ネットワーク６００は、複数のワイヤレス通信機器６０２および６０４を含む。ネットワークワイヤレス通信通信ネットワーク６００は、追加的に、ネットワーク６１２を介したサーバ６０９によって結合される、複数の基地局６０８および６１０を含む。基地局６０８および６１０は、ハンドセット６０２および６０４を、サーバ６０９と通信するようにリンクさせる。ＰＴＴサーバ６０６は、ＰＴＴサービスに、登録されたハンドセット６０２、６０４を提供する。
【００１８】
図２ａは、ＰＴＴ可能なワイヤレス通信機器２の好ましい実施形態のユーザインターフェースのハイレベルブロック図である。機器は、全てのコンタクト情報を格納するために、単一のデータベース２０を利用する。データベースは、ＰＴＴリストスクリーン２２および全てのコンタクトリストスクリーン２４を含む、少なくとも二つの異なるスクリーンを介してアクセス可能である。他の実施形態においては（図示されず）、全てのコンタクトデータベース２０は全ての電話コンタクトなどの、他のコンタクトリストを提示するように使用され得る。ＰＴＴリストは個々のコンタクトおよびグループコンタクト２８を含む。以下で詳細に説明されるように、ユーザは、それぞれのリストアップされた名前またはグループに関連するボックス２６を単に選択／チェックすることによって、特定の方法において、ＰＴＴコンタクトを選択することができる。単一のデータベース２０、および様々なスクリーンを介したマルチアクセスは、従来技術のＰＴＴ可能なハンドセットには存在しないＰＴＴの機能の使用の容易さを向上する。
【００１９】
図２ｂは、データベースがグループ２８のメンバーを格納する方法を示す。特に、グループは、ポインタ３０からなり、ポインタ３０は、データベース２０におけるメンバーのコンタクト情報を指し示す。これは、メンバーのコンタクトへの更新が、自動的にグループリストに反映されることを保証する。さらに、この構造は、ユーザを従来技術のＰＴＴシステムにおいて必要であるような様々なリストにコンタクトを追加することから解放する。
【００２０】
図５は、本発明の一実施形態のパワーアップ状態のフロー図を示す。電話がパワーアップ（またはパワーダウン）された場合（８０）、その電話は、キャリアーによって提供されているスプラッシュ（ｓｐｌａｓｈ）スクリーンアニメーションを表示する（８２）。音声登録が開始され（８４）、音声登録が成功するまで、標準の登録スクリーンが表示される（８６）。ＰＴＴ機能が可能である場合、ハンドセットは、成功した音声登録の後、ＰＴＴサーバにコンタクトすることを企てる（８８）。ＰＴＴ登録が成功した場合、スタートアップスクリーン９０は、ＰＴＴサービスアイコン９２を用いて表示される。サービスアイコン９２は、ユーザがＰＴＴを登録し、ハンドセットがＰＴＴ可能であることの指示を提供する。登録が成功しなかった場合、スタートアップスクリーン９４上のＰＴＴの「サービスなし」アイコン９６は、ＰＴＴが使用され得ないことの指示を提供する。ハンドセットがＰＴＴ可能でない場合、ユーザは、図１において示されるように、ＰＴＴボタン４を押すことによって、ＰＴＴ９８を登録することを要求することができ、ユーザインターフェースはＰＴＴ登録プロセスを開始する。ＰＴＴサービスが利用可能でない場合の任意の一時期、「ＰＴＴサービスアイコン」９２は、「ＰＴＴサービスなしアイコン」９６に変化する。
【００２１】
本発明の好ましい実施形態の電話情報スクリーン（図示されず）は、ユーザのセル式電話番号、およびｘｘｘｘｘ＠ｘｘｘｘｘ．ｃｏｍの形式におけるユーザのＰＴＴアドレスを含み、そこで、ＰＴＴアドレスは、そのハンドセットのための特定のＳＩＰ  ＵＲＬを用いて正確に配置される。ユーザは、ＰＴＴアドレス領域のためのデフォルトドメインを保存することができる。すなわち、ユーザが、ハンドセットのコンタクトリストに格納するために、新しいＰＴＴアドレス（すなわち、ＳＩＰ  ＵＲＬ）を手動で入力する場合、ハンドセットは、任意の新しいコンタクトを追加する場合にユーザが編集できる、デフォルトドメイン名を提供する。ユーザは、デフォルトドメイン名を異なるストリングへと編集し得る。例えば、ユーザは通常、「＠ｓｕｐｅｒｃａｒｒｉｅｒ．ｃｏｍ」のＳＩＰドメイン名を有するハンドセットにＰＴＴコールを配置する場合、ユーザは、そのハンドセットに対して、「＠ｓｕｐｅｒｃａｒｒｉｅｒ．ｃｏｍ」に、デフォルトドメイン名を変更できる。
【００２２】
図６は、ＰＴＴダイレクトコール、すなわち、プライベートＰＴＴコールのフロー図を示す。図５において示されるように、ユーザは、ハンドセットスタンバイスクリーン９０、９４上の「ｍｅｎｕ」を選択することによって、ＰＴＴコールを配置することができる。メインメニュースクリーン１００から、ユーザは、「コンタクト（Ｃｏｎｔａｃｔ）」を選択する。コンタクトスクリーン１０２は、次いで、「ＰＴＴ閲覧（Ｖｉｅｗ  ＰＴＴ）」オプション（ここでは「ＰＴＴコンタクト閲覧（Ｖｉｅｗ  ＰＴＴ  Ｃｏｎｔａｃｔ）」とも呼ばれる）を含む、多くのオプションをリストアップする。ユーザが「ＰＴＴコンタクト閲覧」オプションを選択する場合、ＰＴＴコンタクトは、ＰＴＴコンタクトスクリーン１０４上にリストアップされる。図６において示されるように、コンタクト「Ｂｉｌｌ  Ｄ」がハイライトされる。ユーザがＰＴＴボタン１０５を押す場合、ＰＴＴコールは、「Ｂｉｌｌ  Ｄ」を開始し、コーリングスクリーン１０６は、ユーザに、コールの状態を知らせるために表示される。コンタクト「Ｂｉｌｌ  Ｄ」はまた、以下でさらに検討されるように、コンタクト名の左のチェックマークを配置することによって、特別のグループコールとして選択され得る。いったんユーザがコンタクトと接続されると、ダイレクトコールスクリーン１０８が表示される。本発明のユーザインターフェースの一実施形態は、「会話トーン」を発し（ｓｏｕｎｄ）、ならびに、例えばダイレクトコール１１２およびコンタクト名「Ｂｉｌｌ  Ｄ」などの、コールのタイプを表示する。ディスプレイにおける「Ｔａｌｋｉｎｇ」アイコン１１０は、ユーザが話しをしていること、すなわち、ユーザが発言権を有する（ｈａｖｅ  ｔｈｅ  ｆｌｏｏｒ）ことを示す。いったんＰＴＴボタンが解放されると、ダイレクトコールスクリーン１１４は、ディスプレイの「発言権フリー（ｆｌｏｏｒ  ｆｒｅｅ）」アイコン１１３によって示されるように、その発言権（ｆｌｏｏｒ）が、話をする参加者のいずれかに対してフリーであることを示す。コールを受けた者がユーザのＰＴＴボタンを押す場合（この例ではＢｉｌｌ  Ｄ）、ダイレクトコールスクリーン１１６は、次いで、ユーザが話を聞かなければならないことを示すための、「ｌｉｓｔｅｎｉｎｇ」アイコン１１５を表示することによって、コールを受けた者が話をしていることを示す。
【００２３】
再び図６を参照して、ダイレクトコールスクリーン１０８、１１４、１１６におけるＰＴＴサービスアイコン１１１は、ＰＴＴコールがアクティブである場合を示す。一実施形態において、サービスアイコン１１１は、継続的に、アクティブＰＴＴコールの間、点滅する。本発明の別の実施形態において、「会話」トーンおよび「発言権フリー」トーンは、アイコン１１０、１１３の表示に加えて、発せられ、ユーザに、視覚的および音声的の両方の合図を与える。インコールスクリーン１０８、１１４、１１６はまた、ｅｎｄ  ｃａｌｌ、ｍｅｎｕ、ｃｏｎｔａｃｔなどのソフトオプションを含む。「ｅｎｄ  ｃａｌｌ」を選択することは、ダイレクトコールを終了する。アクティブコールの間に、ｍｅｎｕまたはｃｏｎｔａｃｔを選択することは、個々に、メインメニュースクリーン、およびコンタクトスクリーンに表示を変化させる。これらのオプションによって、ユーザは、コールの前後およびコール中において、ＰＴＴコンタクト情報を管理することができる。
【００２４】
本発明の一実施形態のプッシュツートーク可能なハンドセットは、図４において示されるように、ＰＴＴサービスをサポートするために、様々なアイコン７０を含む。示されるアイコンは、利用可能であり得るアイコンのタイプを示す。従来技術のＰＴＴユーザインターフェースとは異なり、アイコン７０は、ユーザに、プッシュツートーク通信の状態に関する、容易で認識可能なフィードバックを提供する。図４において示されるように、会話アイコンは、ユーザが発言権を有することを示し、すなわち、ユーザがＰＴＴボタン４を押していることを示す。発言権フリーアイコンは、ＰＴＴコールの任意の参加者が、現在、ユーザのハンドセット２にあるＰＴＴを押し得、会話を始め得ることを示す。リスニングアイコンは、別の誰かがＰＴＴコールにおいて発言権を有することを示す。グループ（ｇｒｏｕｐ）アイコンは、グループコンタクトリストが、レビューまたは操作されていることを示す。コーリング（ｃａｌｌｉｎｇ）アイコンは、コールが配置されている場合に表示される。進行中（ｉｎ  ｐｒｏｇｒｅｓｓ）アイコンは、アクションが進行中であるときはいつでも表示される。注意（ａｔｔｅｎｔｉｏｎ）アイコンは、ユーザに、特定のアクションが要求され得ることを知らせる。アラート（ａｌｅｒｔ）アイコンは、ＰＴＴアラートが別のユーザから受信されたことを示す。テキストが含まれる場合、そのテキストは、ハンドセットのディスプレイ１０に示される。ユーザは、ＰＴＴボタン４を押すことができ、そのアラートを送信した人と会話を開始する。本発明の好ましい実施形態は様々な追加的なアイコンを含み、ＰＴＴサービスが現在可能である、または現在利用可能ではない、ＰＴＴスピーカフォンが現在オンである、または現在オフである、現在のＰＴＴセッションは、個人またはグループのいずれかである、「１対１」の着信、発信、および失敗したＰＴＴコールのためのコール履歴リスト、ならびに、「グループ」の着信、発信、および失敗したＰＴＴコールのためのコール履歴リストなどを示すアイコンを含む。
【００２５】
ユーザはまた、図７のフロー図において示されるように、全てのコンタクトスクリーン１３０からＰＴＴコールを配置することができる。開始スクリーン１２０から、ユーザは、コンタクトソフトオプション１２１のメニューを選択することができる。そのメニューオプションを選択すると、メインメニュースクリーン１２６が現れる。メインメニュースクリーン１２６から、ユーザは、コンタクトスクリーン１２８を表示するための、コンタクトオプションを選択することができる。コンタクトスクリーン１２８は、開始スクリーン１２０上のコンタクトソフトオプション１２１を選択することによって閲覧されることが可能である。コンタクトスクリーン１２８から、ユーザは、オプションリストをスクロールすることが可能である。第１のオプション「ｖｉｅｗ  ａｌｌ」が、全てのコンタクトスクリーン１３０に現れる。「Ｖｉｅｗ  ＰＴＴ  Ｃｏｎｔａｃｔ」オプションを選択すると、その結果がＰＴＴコンタクトスクリーンに表示される。図７は、図２ａのシステムの方法を示す。すなわち、一つのデータベース２０は、ＰＴＴコンタクト２２および全てのコンタクト２４の二つのコンタクトリストを表示および管理するために使用される。
【００２６】
再び図７を参照して、ユーザは、初めに、メインメニュー１２６におけるコンタクト、および、コンタクトオプションスクリーン１２８から「Ｖｉｅｗ  ａｌｌ」を選択し得る。全てのコンタクトスクリーンは、ハンドセットに格納されている全てのコンタクトの名前をリストアップする。本発明の一実施形態において、情報アイコン１４２は、その特定のコンタクトのために格納された番号のタイプを示すために、名前に隣接して表れ得る。一実施形態において、音声番号を有しないコンタクトは、隣接したアイコンを有さず、全てのコンタクトスクリーン１３０上にて、「Ｆａｍｉｌｙ」コンタクトのように表示される。ユーザは、ＰＴＴボタンを押すことによって、ＰＴＴコンタクトスクリーン１２０または全てのコンタクトスクリーン１３０のいずれかからダイレクトコールを配置し得る。ＰＴＴボタンを押すと、ブロック１２４およびブロック１３２に示されるように、選択されたコンタクトに対して、ダイレクトコールを、その格納されたＰＴＴアドレスに配置する。全てのコンタクトスクリーン１３０において、ユーザは、ブロック１３４において示されるように、ハンドセット（図示されず）上の送信キーを押すことによって、セルラ式コールを、コンタクトの最初の番号に配置し得る。
【００２７】
ユーザは、ＰＴＴコンタクトスクリーン１２２または全てのコンタクトスクリーン１３０のいずれかにおいて、コンタクトをハイライトし、そのコンタクトを選択することによって、それぞれのコンタクトに対して、コンタクト情報スクリーン１３６を閲覧することが可能である。図７において示されるように、Ｊａｓｏｎに対するコンタクト情報スクリーン１３６は、自宅の電話番号およびＰＴＴ番号を示す。このスクリーン１３６において、ユーザは、ＰＴＴを押し、コールを開始し得（１４６）、以前のスクリーンに戻り（１４８）、または、別のオプション１４４を選択し得る。ユーザが、スクリーン１３８において示されるように、自宅の電話番号へとスクロールする場合、ユーザは、送信キーを押し、ボイスコールを開始し得（１５０）、あるいは、ユーザは、別のオプション１５４を選択し得る。ユーザはまた、ＰＴＴを直接押し得（１５２）、あるいは、スクリーン１４０において示されるＰＴＴ番号へとスクロールするし、および、ＰＴＴを押して、ＰＴＴコールを開始し得る（１５２）。
【００２８】
図７を再び参照すると、ユーザに対して利用可能であるオプションソフトキー選択１３７、１３９、１４１は、どの情報がスクリーン上にハイライトされるかに依存して、スクリーンからスクリーンへと変化し得る。例えば、コンタクトスクリーン１３６上にて、名前「Ｊａｓｏｎ」がハイライトされ、その結果、ユーザに対して利用可能なオプション１４４は、新しいコンタクトを追加し、そのコンタクトに対するリンガー（ｒｉｎｇｅｒ）を割り当て、または割り当てず、コンタクトを削除し、名前を編集し、または、コンタクトを分類する。他の実施形態は、それ以上、またはそれ以下のオプションを含み得る。コンタクトスクリーン１３８上のＪａｓｏｎの自宅の電話番号をハイライトすると、オプション１５４の異なるセットが提供される。一実施形態において、これらのオプションは、送信テキストメッセージ、閲覧番号、短縮ダイヤル追加、電話タイプ編集、番号削除、番号編集などを含み得る。コンタクトスクリーン１４０において、ＰＴＴコンタクト番号をハイライトすると、アドレス削除、アドレス編集、およびアドレス閲覧のオプション１５６が提供される。
【００２９】
図８は、ユーザがＰＴＴコールを配置することを企て（１６０）、ハンドセットがＰＴＴサーバに登録されていない場合の、ＰＴＴコールログインプロセスのフロー図を示す。ユーザがＰＴＴサーバにログインされた場合（１６２）、図６に関連して検討されたように、コール接続スクリーンが表示される（１６４）。ユーザがＰＴＴサーバにログインしていない場合（１６２）、スクリーン１６６に示されるように、ハンドセットはＰＴＴログインを企てる。ログインが成功した場合（１７０）、コール接続スクリーンによって示されるように（１７２）、コールが接続される。ＰＴＴログインが成功しなかった場合、注意スクリーン１６８は、ユーザに、プッシュツートークが利用可能でないことを知らせ、以前のスクリーンが再表示される（ブロック１７４）。
【００３０】
一部の場合、図９に示されるように、利用可能ではないユーザに、ＰＴＴコールを配置しようとし得る。ユーザは、コンタクトを選択し、ＰＴＴボタンを押す（１８０）。スクリーンは、接続状態１８２を表示する。コールを受けた者が利用可能である場合（１８４）、インコールスクリーンが表示される（１８６）。しかしながら、コールを受けた者が利用可能ではない場合、注意スクリーンは、その者が利用可能ではない１９０または忙しい１９２ことを示す様々な状態の一つを表示する。あるいは、その状態は、コールが失敗１９４、またはプッシュツートークアドレスが無効１９６であることを示す。一実施形態において、単一のビープ１８８などの音声の合図が、注意スクリーン１９０、１９２、１９４、１９６の視覚的合図に伴う。タイムアウトの後、または、任意のキーを押すことによって、ユーザは、以前のスクリーンへ戻る（１９８）。
【００３１】
図１０は、他のコールがアクティブでない場合（２００）の、ユーザがＰＴＴコールを受信する、フロー図を示す。ダイレクトコールが到達する場合（２０２）で、他のコールがアクティブではない場合、音声トーンは、リスニングアイコン２０１によって示されるように、呼出し者の音声の後に続く。発呼者の名前、例えば「Ｅｄｄｉｅ」は、ダイレクトコールスクリーン２０２上に表示される。呼出し者がＰＴＴボタンを解放する場合、利用可能な発言権のトーンは発せられ、発言権フリーアイコン２０３によって示されるように、ユーザが自由に応答する。ＰＴＴボタンを押すことによってユーザは応答する（２０５）。別の者が最初にユーザのＰＴＴボタンを押した場合、その発言権は利用可能ではなくなり（２０８）、ディスプレイはリスニングコールスクリーン２０２に戻る。発言権が利用可能である場合（２０８）、コールスクリーン２０６は、ユーザが呼出し者に話していることを示す。本発明の一実施形態において、ダイレクトＰＴＴコールを受信する場合に表示されるインコールスクリーンは、ダイレクトコールが生じた場合に使用されるインコールスクリーンと同一であることに注意されたい。本発明の別の実施形態において、インコールスクリーンは、ＰＴＴコールの受信と開始との間の区別を表示し得る。
【００３２】
ユーザはまた、そのユーザがハンドセットのユーザインターフェースを用いて作成した「格納されたグループ」を選択することによって、グループコールを生じさせることができる。例えば、ユーザは、図１１において示されるように、メインメニュー２１０から「ｃｏｎｔａｃｔ」を選択する。「Ｖｉｅｗ  ＰＴＴ」は、次いで、ＰＴＴコンタクトスクリーン２１６を閲覧するために、コンタクトスクリーン２１２において選択される。他の実施形態において、ＰＴＴコンピュータスクリーン２１６は、ショートカットによって達し得る（２１４）。ユーザは、例えば、ｆａｍｉｌｙなどの、所望のコンタクト選択にまでスクロールする。ソフトオプション「Ｖｉｅｗ」は、スクリーン２１７において示されるように、「Ｆａｍｉｌｙ」グループにおける人の名前を閲覧するために選択され得る。「ＯＫ」ソフトキーを押すと、ユーザはＰＴＴコンタクトスクリーン２１６に戻る。ユーザは次いで、ＰＴＴボタンを押すことによって、ＰＴＴコンタクトスクリーン２１６からグループコールを開始する。コーリングスクリーン１２８は次いで、コールが進行中であることを表示する。いったんコールが接続されると、インコールスクリーン２２０、２２２、２２４は、ユーザが話していること、発言権がフリーであること、またはユーザが聞いていることを表示する。グループコールにおいて、話者の名前が、どのグループメンバーが話しをしているかを示すために提示される。その名前はコンタクトリストから取られ、利用可能である場合、その名前は、ＳＩＰ  ＵＲＬから取られる。
【００３３】
ユーザがコンタクトリスト２１６からグループを選択し、ワイヤレス機器上にて「送信」キーを押す場合、これは、エラースクリーンという結果になる。というのは、ＰＴＴグループに対して標準のセル式音声コールを配置することは可能ではないからである。また、ＰＴＴコンタクトスクリーン２１６は、グループコンタクトが選択された場合、「Ｖｉｅｗ」の左のソフトオプションを提供する。しかしながら、図７のＰＴＴコンタクトスクリーン１２２において示されるように、個人のコンタクトが選択された場合、表示されたその左のソフトオプションは「アラート」オプションであり、というのは、アラートは、以下でさらに検討されるように、個々のコンタクトに送信され得るからである。
【００３４】
図１２および図１３は、ＰＴＴコンタクトスクリーン２３０または全てのコンタクトスクリーン２３６からのコール起点に対するグループの選択を示す。スクリーン２３０、２３６のいずれかにおいて、ユーザは所望のグループにまでスクロールする。グループメンバーは、ＰＴＴコンタクトスクリーン２３０上の閲覧ソフトオプションを選択することによって、または、いずれかのスクリーン２３０、２３６のハンドセット上のＯＫキーを押すことによって、閲覧され得る。グループメンバーは、次いで、グループメンバースクリーン２３２、２３８において表示される。ＰＴＴコールは、ブロック２３４および２４０において示されるように、ハンドセット上のＰＴＴボタンを押すことによって、スクリーンの全て、すなわち、ＰＴＴコンタクトスクリーン２３０、全てのコンタクトスクリーン２３６、およびグループスクリーン２３２、２３８から生じ得る。
【００３５】
図１４は、ＰＴＴコンタクトスクリーン２４２から多数のコンタクトを選択することによる、ＰＴＴコールの起点のフロー図を示す。ユーザは、多数の個人を選択することによって、および／または、ハンドセットに格納されている多数の特別のグループを選択することによって、グループコールを生じさせ得る。例示された実施形態において、最初のコンタクト「Ｂｉｌｌ」は、「選択」ソフトオプションを使用した第１のスクリーン２４２において選択される。コンタクトを選択すると、チェックマークアイコン２４３は、スクリーン２４４に示されるように、選択された名前の隣に現れ、右のソフトキーは、スクリーン２４８に示されるように、コンタクト「Ｍｉｃｈｅｌｌｅ  Ｓ」に対して、「選択」２４５から選択解除２４９へと変化する。スクリーン２４４において、「Ｆａｍｉｌｙ」グループは、特別のグループコールとして選択される。ユーザがグループコンタクトのうちの少なくとも一つのコンタクトを選択する場合、左のソフトキー「アラート」は、アラートが一人の人に送信され得るのみの、一実施形態においてはもはや利用可能ではなくなる。アラートメッセージが多数の人に送信され得る他の実施形態において、「アラート」ソフトキーは選択のために利用可能なままである。
【００３６】
再び図１４を参照すると、スクリーン２４６および２４８において、ユーザは、グループコールに対して、別のコンタクトである「Ｍｉｃｈｅｌｌｅ  Ｓ」を選択する。メンバーは、選択されるメンバーにまでスクロールし、選択解除ソフトキーを押すことによって選択解除され得る。その選択解除ソフトキーは、チェックマーク（または、選択の他の指示）を有する任意のコンタクトに対する選択を提示する。ユーザは次いで、ＰＴＴボタンを押し、グループコール２５０を開始する。この場合、インコールスクリーン２５２、２５４上のユーザに対して利用可能であるグループ名が存在しないことに注意されたい。というのは、このシナリオにおいては、グループ名は存在しないからである。しかしながら、グループコールスクリーン２５６において、スクリーンは、発言権２５５を有する特別なグループにおける人を表示する。
【００３７】
本発明の一実施形態は、電話上に格納されているグループに対する、「非公開（ｃｌｏｓｅｄ）グループ」を配置するための簡単な機能をサポートする。電話上の非公開グループを格納するために、ユーザは、以下で検討される新しいスクリーンの追加を使用して、グループの有効なＳＩＰ  ＵＲＬを格納する。ユーザは、コールを任意の他のＰＴＴコンタクトに配置するのと同じように、ＰＴＴコンタクトリストにおける名前をハイライトし、ＰＴＴボタンを押すことによって、非公開グループにコールを開始する。ＳＩＰ  ＵＲＬドメイン名が、テキストの「グループ」にて開始される場合、非公開グループコンタクトは、「ＰＴＴ個人」アイコンを用いてではなく、ＰＴＴコンタクトリストおよび全てのコンタクトリストにおける、「ＰＴＴグループ」アイコンを用いて示される。
【００３８】
図１５は、グループＰＴＴコールの対するＰＴＴコール起点の結果のフロー図を示す。一部の例において、ユーザは、利用可能ではないグループ２６０、２６２へ、コールを開始し得る。そのグループの少なくとも一人のメンバーが利用可能である場合（２６４）、接続がなされ、インコールスクリーンが表示される（ブロック２６６）。全てのメンバーが利用可能でない場合、注意スクリーン２６８は、「利用不可能」の状態を示す。他の状態は、コール失敗２７０、任意の番号が無効の場合の、無効なプッシュツートークアドレス２７２、グループは格納されたコンタクトを有しないというメッセージ２７４を含む。タイムアウトまたは任意のキーを押すと、注意スクリーン２６８、２７０、２７２、２７４は、ブロック２７６において示されるように、以前の表示スクリーンに戻る。
【００３９】
図１６は、他のコールがアクティブではない場合、グループ２７８において、他の誰かによって開始されるグループＰＴＴコールを受信するフロー図を示す。グループコールスクリーン２８０において、ユーザは、リスニングアイコン２７９において示されるように、最初に発言権を有するＳｕｓａｎからのコールを受信する。本発明の一部の実施形態において、リスニングアイコン２７９は、可能であれば、話者の写真を表示する。この例において、グループ名は知られていない。従って、いったん呼出し者は自分のＰＴＴボタンを解放すると、グループコールセッション２８２、２８４は、コール発起者の名前を、「＋」の印で表示する。発起者の名前は、コンタクトリストにおける一致が存在する場合、コンタクト名である。さもなければ、その名前は、発起者のＰＴＴ  ＳＩＰ  ＵＲＬの「名前」の一部として現れる。
【００４０】
再び図１６を参照して、ＰＴＴダイレクトコールが本発明の好ましい実施形態において首尾良く接続される場合、ユーザは、「インコールスタンドバイ」スクリーン２８２から利用可能であるソフトキーを選択し得る。ソフトキー２８１は、通常の音声コール上における「ｈａｎｇｉｎｇ  ｕｐ」に類似した「Ｅｎｄ  Ｃａｌｌ」、ハンドセットのメインメニューへユーザを導く「Ｍｅｎｕ」、および、「Ｍａｎａｇｅ  Ｇｒｏｕｐ」または「ＰＴＴ  Ｃｏｎｔａｃｔｓ」スクリーンへユーザを導く「Ｇｒｏｕｐ」および「Ｃｏｎｔａｃｔｓ」（図示されず）を含む。Ｍｅｎｕソフトキーを用いて、ユーザは、メインメニューをレビューすることができ、例えば、ハンドセットに格納されている情報をレビューするために、アクティブなＰＴＴコールの間に選択をすることができる。Ｇｒｏｕｐソフトキーを用いて、ユーザは現在のグループコールに存在するメンバーを見ることができる。Ｃｏｎｔａｃｔｓソフトキーは、ユーザをＰＴＴコンタクトスクリーンに導き、アクティブＰＴＴコールに、「新しいメンバーを加える」。
【００４１】
図１７は、新しい番号を追加する個人の視座から、新しい番号を、アクティブなＰＴＴダイレクトコールに追加する、フロー図を示す。ダイレクトグループコール２８６の間、ユーザは、ＰＴＴコンタクトリストスクリーン２８８を閲覧するために、ソフトキー「Ｃｏｎｔａｃｔｓ」を選択する。コンタクト「Ｋａｔｈｌｅｅｎ」は、「Ｊｏｉｎ」ソフトキー２８９を選択することによって、そのグループに加わるように選択される。コーリングスクリーン２９０は、コンタクトがコールされていることを示すために表示される。ユーザ状態が決定され（２９１）、スクリーンは、コンタクトがコールに追加（２９２）されるか、コンタクトが利用可能でない（２９４）か、またはプッシュツートークアドレスが無効（２９６）であるかのいずれかを表示する。前述の例で検討されたように、音声トーン２９３は、ユーザ状態の表示と関連されて、発せられ得る。タイムアウトまたは任意のキーを押した後、以前のスクリーンが表示される（２９５）。
【００４２】
図１８は、「ダイレクトコール」における参加者が、別の参加者が新しいメンバーをコールに追加したときの通知を受信する方法を示す。ユーザがダイレクトコールに従事している場合、標準インコールスクリーンが表示される（２９８）。コールにおいて別の参加者がコールにコンタクトを追加する場合、スクリーン２９９は、他の者、この例の場合、「Ｊａｍｅｓ  Ｐ」がコールに人を追加することを示す。ついでユーザは、会話に対する全ての者を承知する。本発明の一実施形態において、アクティブなＰＴＴコールへ追加されるターゲットに対するユーザ経験は、新しいコールを受信するユーザ経験と同一である。ターゲットがコールに参加される場合、標準のインコールスクリーンによって示されるように、発言権（ｆｌｏｏｒ）が取られるか、またはフリーである。ターゲットへの独自のフィードバックは存在しない。すなわち、ターゲットが新しいコールの代わりに現行のコールに追加されたことを示すための、特別なスクリーンまたはテキストは存在しない。
【００４３】
図１９は、現在のグループコールにおいて、参加者のコンタクトを保存するために選択されるユーザのフロー図を示す。ＰＴＴグループコールが首尾良く接続された場合（３００）、ユーザは、グループ情報を閲覧および保存するために、スクリーン３００から利用可能なソフトキー３０１を有する。示された例としてのソフトキー３０１は、「Ｅｎｄ  Ｃａｌｌ」、「Ｍｅｎｕ」、および「Ｇｒｏｕｐ」を含む。グループソフトキーの選択は、現在のグループコール３０２、３０４上にいるメンバーのグループリストを引き出す。グループリストは、「Ｄｏｎｅ（終了）」または「Ｓａｖｅ（保存）」のソフトキーオプションを提供する。終了ソフトキーの選択は、ユーザを標準のインコールスクリーンに戻す（３０７）。ユーザは保存ソフトキーを選択し、保存グループスクリーン３０６において示されるグループ名を入力するためのオプションを有する。いったんグループが、保存グループスクリーン３０６における「Ｓａｖｅ」ソフトキーの選択によって保存されると、スクリーン３０８は、ユーザハンドセット上の新しいグループを保存するアクションを、現在のグループコールに招待されているメンバー全てに確認する。
【００４４】
新しいＰＴＴコールが到達し、他のコールがアクティブでない場合、ＰＴＴインコールスクリーンは、本発明の一実施形態が優先である。例えば、到達コールのインコールスクリーンが、ハンドセットのスタンバイ、「コンタクトを追加」スクリーン、「メインメニュー」、またはユーザが閲覧していたどんなスクリーンよりも、優先する。ＰＴＴコールが終了し、コール終了のスクリーンが提示された後、ユーザは、例えば、ハンドセットのスタンバイ、「コンタクトを追加」スクリーンなどの、ＰＴＴコールを優先するスクリーンに戻る。「ダイレクト」コールおよび「グループ」コールの両方において、ユーザは、ＰＴＴコールの間、「Ｍｅｎｕ」、「Ｃｏｎｔａｃｔｓ」、または「Ｇｒｏｕｐ」を選択するオプションを有することに注意されたい。これが生じる場合、メニューおよびスクリーンのユーザの手動の選択は、現行のコールに対する標準のＰＴＴインコールスクリーンに優先する。すなわち、「会話」、「聞き取り」、「発言権フリー」、「コール終了」、および任意の他の標準のＰＴＴインコールスクリーンに優先する。ユーザがインコールスクリーンに再びアクセスするために、ユーザは、「インコール」スクリーンに戻るまで、「ｂａｃｋ」キーを押すことによって、単に戻る。ＰＴＴ音声は、ユーザが任意の他のスクリーンを閲覧する間、通常のように継続する。また、ＰＴＴボタンは、ユーザが標準のインコールスクリーンとは異なるスクリーンを閲覧している間であってさえも、「発言権要求（ｆｌｏｏｒ  ｒｅｑｕｅｓｔ）」として機能し続ける。例えば、ユーザは、コンタクトリストスクリーンまたはコール履歴スクリーンをレビューしているときであっても、ユーザは、発言権を要求し得、発言権を首尾良く得ることができる。
【００４５】
図２０は、ＰＴＴコールが切断され得る方法のフロー図を示す。ユーザが「ｅｎｄ」キーを押す場合、ユーザが「ｅｎｄコール」ソフトオプション、および、「話者なし」タイムアウトが生じる場合などを含む、コールが、ＰＴＴ標準コール（３１０）の間に切断され得る多数の方法が存在する。コールが切断された後、コールのタイプが決定される（３１２）。コールがダイレクトコールの場合、コール終了スクリーン３１４が表示される。ユーザは、発呼者３１５の情報を保存するためのソフトキーオプションを選択することができ、または、発呼者についての現行の情報に追加することができる（３１７）。そうでなければ、ディスプレイは、前のスクリーンに戻る（３１３）。グループコールに対しては、コール終了スクリーン３１６が、グループ閲覧、および新しいグループの保存を含む、グループソフトキーオプションを用いて表示される。グループ閲覧オプションを選択すると、グループリストスクリーン３１８をコールする。新しいアドレスの保存ソフトキーを選択すると、グループ保存スクリーン３２０をコールする。このスクリーン３２０において、グループ名は提供された領域３２４に追加され得、そのグループは、保存ソフトキーを選択することによって保存される。スクリーン３２２はアクションを確認するために提示される。その表示は次いで、以前のスクリーン３２１に戻る。ＰＴＴコール上の他の者全ては切断することが時に可能であり、ユーザは、そのコール上の唯一の人であることが時に可能である。これが生じる場合、「発言権を得る」ためのユーザの任意の企ては、失敗とみなされ、そのユーザは、他の誰にも接続されていないということをアラートされる。
【００４６】
本発明の一実施形態のＰＴＴ可能な電話のユーザは、アラートテキストメッセージを別のＰＴＴユーザに送信することができる。図２１は、アラートメッセージを送信することの基本的なステップを示す。ブロック３３０に示されるように、ユーザは、所望の受信者であるＢｉｌｌ  Ｄ．までスクロールし、ディスプレイ上の「Ａｌｅｒｔ」オプション３３１を選択する。アラートメッセージスクリーン３３２は次いで、アラートメッセージ３３３ａの前もって格納されているリストを表示する。他の実施形態において、ユーザは、アラート選択３３１を含む他のスクリーンから直接に、アラートメッセージスクリーン３３２に進み得る。一実施形態において、特定のアラートのための「アラートテキスト」は、ネットワークサーバに格納されているか、または、ネットワークサーバによって決定されている。キャリアーは、何のメッセージが、ハンドセットの要求としてではなく、「サーバ要求」として、その情報を提供することによってサポートされるべきかを特定し得る。別の実施形態において、特定のアラートは、ユーザ定義、またはユーザ選択であり得る。例えば、ユーザは、電話上またはサーバ上に格納されている短いテキストを作成し得、あるいは、ユーザは、提供されたリストからの限定された数のテキストメッセージを選択し得る。続けて図２１を参照して、ユーザはまた、テキストメッセージ無し３３３ｂを選択するオプションを有する。このオプションは、図２２を参照し、以下で検討されるように、メッセージなしで、アラートを、目的の受信者に送信する。
【００４７】
いったんユーザが、所望のテキストメッセージ３３３ａ、またはメッセージ無し３３３ｂを選択すると、コーリングスクリーン３３４が表示され、その一方で、ワイヤレス通信システムは、決定ブロック３３６において示されるように、受信者、すなわちコールを受けた者の状態を決定する。受信者が利用可能である場合、「Ａｌｅｒｔ  Ｄｅｌｉｖｅｒｅｄ」スクリーン３３８が表示される。必要に応じて、アラートが首尾良く送信されたことを示すトーン３３７が、ワイヤレス機器によって発せられ得る。ステップ３４４において、ディスプレイは次いで、タイムアウトの後、または別のキーが押された後に、アラートスクリーン３３２の前のスクリーンに戻る。図２１のこの例において、表示はＰＴＴコンタクトスクリーン３３０に戻る。受信者が利用不可能である場合、「Ｒｅｃｉｐｉｅｎｔ  ｉｓ  Ｕｎａｖａｉｌａｂｌｅ」スクリーン３４０が、利用不可能であることを確認するために、単一のビープなどのような、任意のトーン３３９と供に表示される。同様に、受信者ＰＴＴアドレスが無効である場合、「Ｉｎｖａｌｉｄ」スクリーン３４２が、単一のビープのトーン３４１と供に表示される。
【００４８】
図２２は、ユーザがアラートを受信するフロー図を示す。受信者がアラートを受信する場合、受信アラートスクリーン３５０は、任意の音声である「Ａｌｅｒｔ  Ａｒｒｉｖｅｄ」トーンと供に表示される。受信アラートメッセージスクリーン３５０は、例えば、「あなたはどこにいますか」などの、送信テキストメッセージライン、「Ｋａｔｈｌｅｅｎ」などの、送信者の名前などを表示する。アラートがテキストメッセージ無しで送信された場合、テキストメッセージラインはブランクである。受信者は、「Ｄｏｎｅ」、「Ｔｉｍｅ」、「Ａｄｄ  Ｎｅｗ」、および「Ａｄｄ  ｔｏ」などを含む多数のオプション３５９を有する。他の実施形態は、それ以上かそれ以下のオプションを含み得る。受信者はまた、ＰＴＴボタンを押し、ブロック３５１において示されるように、送信者、すなわち、ＫａｔｈｌｅｅｎにＰＴＴダイレクトコールを生じさせ得る。
【００４９】
再び図２２を参照すると、「Ｄｏｎｅ」オプションが選択された場合、および、待ち行列３５３にさらなるアラートが存在しない場合、アラートスクリーンの以前のスクリーンが表示される（３５５）。さらなるアラートが待ち行列に存在する場合（３５３）、次のアラートが表示される（３５７）。「Ａｄｄ  Ｎｅｗ」オプションを選択すると、コンタクトリストに発呼者を追加するスクリーンという結果になる（３５４）。「Ａｄｄ  ｔｏ」オプションを選択すると、ユーザは、現行のコンタクトにアドレス情報を追加することができる（３５６）。「Ｔｉｍｅ」オプションは、アラートメッセージの日時の表示３５２を表示させる。一実施形態において、ユーザがアラートスクリーンからコールを配置する場合、コールの完了後に、ユーザは、ＰＴＴアラートの待ち行列に戻る（３５３）。全てのアラートが終わるか、実行されると、ユーザは、ハンドセットスタンバイスクリーン、または、ブロック３５８において示されるように、アラート到達前に表示されていたスクリーンへ、戻る。
【００５０】
上述されたような本発明の一実施形態のアラート機能は、プッシュツートークユーザの間にて、簡単なテキストメッセージを送信するための、迅速で容易な方法である。テキストメッセージングを用いて通信する追加的な方法は、ショートメッセージサービス（ＳＭＳ）のメッセージを送信および受信することによってである。図７を参照すると、ＳＭＳメッセージを送信するために、ユーザは、コンタクト詳細スクリーンにアクセスし、音声電話番号をハイライトさせ、「Ｏｐｔｉｏｎｓ」を選択しなければならない。利用可能なオプションは、「Ｓｅｎｄ  Ｔｅｘｔ  Ｍｓｇ」である。「Ｓｅｎｄ  Ｔｅｘｔ  Ｍｓｇ」を選択した後、標準のユーザインターフェースは、テキストメッセージを作成および送信するために使用される。アクティブＰＴＴコールまたは音声コールの間、ＳＭＳメッセージが到達した場合、ＳＭＳメッセージを受信するためのスクリーンが表示される。同様に、ボイスメール通知メッセージが到達する場合、ボイスメール通知を受信するスクリーンが表示される。
【００５１】
図２３は、ＰＴＴコールがアクティブである場合にＰＴＴコールを受信するフロー図を示す。ブロック３６０において、ユーザは、ダイレクトコールに従事する。ＰＴＴ会話３６０に従事する間に、新しいＰＴＴコールがハンドセットに到達する場合、ユーザは、発呼者の名前を示す、ＰＴＴコールスクリーン３６２を用いて提示される。一実施形態において、音声信号はまた、新しいコールをアナウンスする。ユーザは、新しい着信コールに応答するか、または無視するために、オプション３６９を用いて提示される。ユーザが無視のオプションを選択する場合、または、タイムアウトの期限が切れた場合（３６５）、スクリーンは、オリジナルのＰＴＴコール３６０に戻る。ユーザが応答のオプション３６３を選択する場合、ＰＴＴコールは、新しいコールの発起者に配置され、オリジナルのコールが切断される。ＰＴＴコールの間に、グループコールを受信することもまた可能である。この場合、ユーザは、「Ａｎｓｗｅｒ」を選択する場合、ユーザは、グループコールに「参加（ｊｏｉｎ）」する。
【００５２】
図２４は、メインメニューからアクセスされた、コール履歴スクリーン３８０を示す。「Ａｌｌ  Ｃａｌｌｓ」オプションを選択することによって、「Ｒｅｃｅｎｔ  Ｃａｌｌｓ」スクリーンが、ＰＴＴコールおよび標準のセル式音声コールの両方を統合する、単一のコール履歴リスト３８２を提示する。一実施形態において、コール履歴メニュー３８０は、全てのコール、着信コール、発信コール、失敗したコール、および、コールリスト削除などの選択を含む。他の実施形態は、追加的なコール履歴選択を含み得る。５つのそれぞれの選択の下で、ユーザは、全ての関連するＰＴＴコール、および、関連する標準のセル式コールを見出すことができる。コール履歴スクリーン３８０の「Ａｌｌ  Ｃａｌｌｓ」リストを選択すると、着信、発信、および失敗したコールを含む、ハンドセットのコール履歴の全てを表示する、最近のコールスクリーン３８２を提示する。ＰＴＴコールおよび標準のセル式コールの両方は、独自のアイコン３８１によって識別されるリストに含まれる。しかしながら、示された例はアイコン３８１におけるこれらの区別を示さないことに注意されたい。一実施形態において、独自のアイコン３８１はまた、コールが、着信コール、発信コール、または失敗したコールのどれかであるかを区別する。リストはまた、ダイレクトＰＴＴコールおよびグループＰＴＴコールの両方を含む。
【００５３】
最近のコールリスト３８２からの名前の選択の後で、コールに関する情報は、詳細な情報スクリーン３８４、３８６において示される。詳細な情報スクリーン３８４はコールについての情報３８５を識別する。例えば、本発明の一実施形態において、第１のラインは、「ＰＴＴ  Ｃａｌｌ  Ｆｒｏｍ」、「ＰＴＴ  Ｃａｌｌ  Ｔｏ」、「Ｇｒｏｕｐ  Ｃａｌｌ  Ｆｒｏｍ」、および「Ｇｒｏｕｐ  Ｃａｌｌ  Ｔｏ」などのラベルを用いて、コールのカテゴリを識別する。第２および第３のラインは、コールの他の者または複数の者についての情報を提示する。「Ｉｎｃｏｍｉｎｇ  Ｃａｌｌｓ」および「Ｍｉｓｓｅｄ  Ｃａｌｌｓ」に対しては、二つ目のラインの情報は、ＳＩＰ（Ｓｅｓｓｉｏｎ  Ｉｎｉｔｉａｔｅｄ  Ｐｒｏｔｏｃｏｌ）ＵＲＬ（Ｕｎｉｆｏｒｍ  Ｒｅｓｏｕｒｃｅ  Ｌｏｃａｔｏｒ）がＰＴＴコンタクトリストと一致した場合、コールの発起者の名前である。３つ目のライン上の情報は、発起者のＳＩＰ  ＵＲＬの名前の部分である。「Ｏｕｔｇｏｉｎｇ  Ｃａｌｌｓ」に対しては、二つ目のラインの情報は、グループコールに対する言葉、「Ｇｒｏｕｐ」である。あるいは、受信者のＳＩＰ  ＵＲＬがＰＴＴコンタクトリストと一致した場合、ダイレクトコールに対して、受信者の名前が提示される。グループコールに対しては、３つ目のラインはブランクである。ダイレクトコールに対して、ＳＩＰ  ＵＲＬの名前の部分が提示される。
【００５４】
ブロック３８４は、受信されたＰＴＴコールの詳細な情報スクリーンを示す。ＰＴＴコールはまた、コールが、「ダイレクト着信」、「ダイレクト発信」、「ダイレクト失敗」、「グループ着信」、「グループ発信」、または「グループ失敗」のどれかであるかを示すために、名前の隣に提示される、ＰＴＴ特定のアイコン３８３によって識別される。標準のセル式コールであるコールに対しては、セル式電話の特定のアイコン（図示されず）は、そのコールが「着信」、「発信」、または「失敗」であるのかを示す、名前または番号の隣に提示される。ＰＴＴアラートはまた、例えば、「ａｌｌ  ｃａｌｌｓ」リストおよび「ｉｎｃｏｍｉｎｇ  ｃａｌｌｓ」リストなどの、コール履歴リストにおいて格納される。図２４は、「Ｍｉｃｈｅｌｌｅ  Ｓ」からのコールがＰＴＴアラートコールである状況の対する、代替的な詳細な情報スクリーン３８６を示す。詳細な情報３８９は、もし在れば、アラートメッセージを含む。アラートがテキストメッセージ無しで送信される場合、ラインはブランクである。一実施形態において、ＰＴＴアラートに対するアイコン３８３は、ＰＴＴ着信コールに対するアイコンと同一である。
【００５５】
図２４を再び参照して、詳細な情報スクリーン３８４、３８６はまた、アクションオプション３８７を含む。一実施形態において、これらのオプションは、「ａｌｅｒｔ」オプション、「ａｄｄ  ｎｅｗ」オプション、および「ａｄｄ  ｔｏ」オプションを含む。ユーザがアラートオプションを選択する場合、図２１を参照して記載されたように、アラートが配置される。「ａｄｄ  ｎｅｗ」オプションを選択すると、ユーザは、コンタクトリストにおける呼出し者の情報を格納することができる。「ａｄｄ  ｔｏ」オプションは、ユーザが、コンタクトするものについての追加的な情報を格納することができる。これらのオプションは、ユーザが、受信されたコールからの情報を格納するための、迅速で効率的な方法を提示する。ユーザは、最近のコールスクリーン３８２または詳細な情報スクリーン３８４、３８６におけるＰＴＴボタンを、いつでも押すことができ、特定のスクリーン上に表示された者へＰＴＴダイレクトコールを生じさせることができる。
【００５６】
図２４に示されるコール履歴スクリーン３８０はまた、「ｉｎｃｏｍｉｎｇ  ｃａｌｌ」選択を含む。着信コールリスト（図示されず）は、ハンドセットの最近の着信コールの全てを提示する。ＰＴＴコールおよび標準のセル式コールの両方は、このリストに含まれる。同様に、ＰＴＴダイレクトコールおよびＰＴＴグループコールもまた、リストに示される。コール履歴スクリーン３８０の「ｏｕｔｇｏｉｎｇ  ｃａｌｌｓ」選択は、ハンドセットの最近の発信コールの全てを提示し、「失敗したコール」選択は、最近の失敗したコールの全てを提示する。ユーザはまた、一つ以上のリストのうちのＰＴＴおよび標準の音声コールを削除するために、「コールリスト削除」を選択することができる。
【００５７】
図２５は、受信されたグループのＰＴＴコールのコンタクトをレビューおよび保存するために、コール履歴リストにユーザがアクセスするフロー図を示す。最近のコールスクリーン３９０において、名前は、適切なワイヤレス機器コントロールキーを用いて、名前をスクロールすることによって選択される。示された例において、「Ｓｕｓａｎ」が選択される。ＰＴＴボタンを押すことによって、ＰＴＴダイレクトコールは、ブロック４０２に示されるように、Ｓｕｓａｎに生じる。代替的には、Ｓｕｓａｎが選択された場合、詳細な情報スクリーン３９２が表示される。ＰＴＴグループコールは、グループ名、プラスの記号を有する発起者、または、「ｇｒｏｕｐ」によって示される。詳細な情報スクリーン３９２から、ユーザはＰＴＴボタンを押し、ダイレクトＰＴＴコールをスクリーン上に示された者に生じさせる。示された例において、Ｓｕｓａｎからのコールは、グループコールであった。ソフトキーオプション３９３は、ｖｉｅｗ、ｊｏｉｎ  ｃａｌｌ、およびｓａｖｅなどを含む。ｖｉｅｗオプションを選択すると、グループコールにおける参加者の全てをリストアップするグループリストスクリーン３９４という結果になる。ユーザは次いで、グループを保存、またはグループコールに加わるための、スクリーンオプション３９５を有する。ｓａｖｅオプション３９５を選択すると、「ｓａｖｅ  ｇｒｏｕｐ」スクリーン３９６という結果になる。ユーザは次いで、グループに対する名前を入力し、「ｓａｖｅ」オプションを選択することができる。アクションスクリーン３９８は次いで、そのグループが保存されたことを示す。タイムアウトまたは任意のキーを押すことで、ユーザが以前のスクリーンに戻る（４００）。グループリストスクリーン３９４上のｊｏｉｎオプション３９５を選択すると、図２６に関連して検討されるように、コールに加わることを企てるために、グループにＰＴＴコールを開始する。
【００５８】
図２６は、ブロック４１０に示されるように、ユーザがグループＰＴＴコールに加わるために選択する、フロー図を示す。コールスクリーン４１２は、ＰＴＴグループコールにおけるグループに参加する企てを示す。グループの状態は、決定ブロック４１４において決定される。コールがいまだにアクティブな場合、インコールスクリーンが表示され（４１６）、ユーザは、ＰＴＴグループコールに参加し得る。一実施形態において、コールへの後の参加者は、接続時に、発言権を得ることはない。もはやアクティブではないコールは、コールのアクティブではない状態を示すために、オプションの音声トーン４１８を用いて、状態スクリーン４２２に示される。状態決定４１４の他の可能な結果は、例えば、発起者がネットワークまたはサーバにアクセスすることが出来ない場合などにおける、コール失敗スクリーン４２０を含む。キーを押すか、またはタイムアウト（４２３）は、ブロック４２４において示されるように、以前のスクリーンに表示を戻す。
【００５９】
図２７は、ＰＴＴコンタクトを、ワイヤレス通信機器のデータベースに追加する、フロー図を示す。メインメニュースクリーン４３０から、ユーザは、ワイヤレス通信機器のディスプレイ上にて、コンタクトスクリーン４３２を表示させるために、「ｃｏｎｔａｃｔｓ」を選択することができる。コンタクトスクリーン４３２は、ユーザに、「ａｄｄ  ｎｅｗ」のオプションを提示する。このオプションをスクロールし、オプションを選択することによって、ユーザは、次いで、新規追加スクリーン４３４を閲覧することができる。本発明の一実施形態の新規追加スクリーン４３４は、新しい電話番号の追加、新しいプッシュツートーク番号の追加、ｅメールアドレスの追加などのオプションを含む。新しいプッシュツートーク追加のオプションが新規追加スクリーン４３４上にて選択される場合、名前入力スクリーン４３６が次いで表示される。ユーザは、提供された名前領域において名前を入力し、次いで、提供されたアドレス領域４３５においてＰＴＴアドレスを入力する。一実施形態において、デフォルトドメインが、アドレス領域４３５において前もって配置される。情報を入力した後、ユーザは保存オプションを選択することができる。表示は、ブロック４３８において示されるように、保存された状態を確認する。任意のキーの選択、またはタイムアウトは、追加されたコンタクトのコンタクトスクリーン４４０を表示し、その結果、ユーザは、新しく追加された情報を確認することができる。完了了オプション４４１によって、ユーザは、以前のスクリーンに戻る（４４２）。「ｏｐｔｉｏｎｓ」のオプション４３９によって、ユーザは、図７を参照して検討されたような、多数のアクションを実行することができる。この例の新規追加スクリーン４３４へのアクセスは、コンタクトメニュー４３２からであるが、しかしながら、新規追加スクリーン４３４はまた、「ｒｅｃｅｎｔ  ｃａｌｌ」リスト、および、「ａｄｄ  ｎｅｗ」または「ａｄｄ  ｔｏ」オプションが提示される任意の他のスクリーンから、アクセスされ得る。
【００６０】
従来技術のシステムのグループ管理と対照的に、本発明の実施形態によって、ユーザは、グループコンタクト情報を迅速に管理することができる。従来技術のシステムにおいては、グループが前もって規定されており、コールに先立って確立されていなければならず、ワイヤレスサービスプロバイダを用いて、何回も、グループの作成を介さなければならなかった。本発明の一実施形態によって、ユーザは、図２８に示されるように、ハンドセット上の「特別な」グループを作成および格納することができる。コンタクトスクリーン４５０において、ユーザは、「Ｍａｎａｇｅ  Ｇｒｏｕｐｓ」オプションを選択する。コールされたグループ管理スクリーン４５２は、グループの作成、グループへ追加、グループを削除、グループ名の編集、および、グループから削除などの多くのオプションを含む。グループ管理プロセスの他の実施形態は、それ以上かそれ以下のオプションを提示し得る。
【００６１】
図２８のグループ管理４５２に示される例において、ユーザはグループを作成するために選択する。グループ作成スクリーン４５４はグループ名を入力するための領域４５５を提供する。グループ管理アプリケーションは、グループ名が存在するかどうかを確認する（４５８）。グループ名が存在する場合（４５８）、ユーザは、異なるグループ名を入力するように要求され（４６２）、グループ作成スクリーン４５４が表示される。アプリケーションは次いで、ＰＴＴコンタクトリストが存在するかどうかを決定する（４６０）。ＰＴＴコンタクトが存在しない場合は、ＰＴＴグループを作成するためのコンタクトが存在しない。それゆえ、エラースクリーン４６４が、ユーザに、ＰＴＴコンタクトがないことを知らせ、ユーザが新しいＰＴＴコンタクトを追加したいかどうかを尋ねる。オプション「Ｎｏ」が選択される場合、表示は、ブロック４６６に示されるように、コンタクトスクリーンに戻る。オプション「Ｙｅｓ」が選択される場合、表示は、ブロック４６８に示されるように、コンタクト追加スクリーンに進む。
【００６２】
図２８を再び参照すると、決定ブロック４６０において示されるように、ＰＴＴコンタクトがコンタクトデータベースに存在しない場合、次いで、コンタクト選択スクリーン４７０が表示される。一実施形態において、ＰＴＴアドレスを含むコンタクトのみが表示され、グループは表示されない。グループメンバーを選択するために、例えば、スクロールバーが所望の名前までスクロールされるなど、名前がハイライトされ、「ＯＫ」などのソフトキーが選択される。名前に隣接するボックスアイコン４７１は、選択を示す。全てのグループメンバーを選択すると、保存オプションが選択される。グループ保存スクリーン４７２は、グループが保存されたことを確かめる。タイムアウトまたはキーを押した後、グループ情報は、グループリストスクリーン４７４に表示される。ユーザは、バックキーまたは「ＯＫ」キーを選択し、グループ管理スクリーン４５２に戻ることができる。タイムアウトはまた、グループ管理スクリーン４５２に戻る働きをし得る。
【００６３】
図２９は、現行のグループにメンバーを追加する、フロー図を示す。グループ管理スクリーン４８０において、ユーザは「Ａｄｄ  ｔｏ  Ｇｒｏｕｐ」を選択する。グループ管理アプリケーションは、特別なグループ、すなわち、ユーザによって作成されたグループが存在するかどうかを決定する（４８２）。グループが存在しない場合、状態スクリーン４８４は、ユーザに、グループが存在しないことを知らせ、ユーザに、新しいグループを作成したいかどうかを尋ねる。ｙｅｓオプションを選択すると、ユーザは、グループ作成スクリーンに進む（４８６）。ｎｏオプションを選択すると、機器をスタンバイ状態にする（４８８）か、または、ユーザを以前のスクリーン、例えば、グループ管理スクリーン４８０に戻す。特別なグループが存在する場合、グループ選択スクリーン４９０が表示される。
【００６４】
図２９の例に示されるように、４つのグループがハンドセット上に存在する。ユーザはそれらのグループのうちの一つを選択する。グループ管理アプリケーションは、コンタクトデータベースにおいて利用可能なＰＴＴコンタクト名が存在するかどうかを決定する（４９２）。コンタクトが利用可能でない場合、ユーザは、注意スクリーン４９４によって通知され、ユーザは、ブロック４９６において示されるように、グループ管理スクリーンまたはコンタクトスクリーンなどの、以前のスクリーンに戻る。ＰＴＴコンタクトが利用可能である場合、メンバー追加スクリーン４９８がユーザに提示される。選択されたグループのメンバーではない全てのＰＴＴコンタクトが表示される。ユーザは、追加するメンバーを選択し、次いで、「Ａｄｄ」オプションを選択することによって、プロセスを完了する。状態スクリーン５００は、メンバーがグループに追加されることを確認する。次いで、グループ名スクリーン５０２が表示され、選択されたグループのメンバーが表示される。次いで、スクリーンは、ブロック５０４において示されるように、グループ管理スクリーンなどのような、以前のスクリーンに戻る。
【００６５】
図３０は、現行のグループからメンバーを削除する、フロー図を示す。グループ管理スクリーン５１０において、「Ｒｅｍｏｖｅ  ｆｒｏｍ  Ｇｒｏｕｐ」オプションが選択される。グループ管理ルーチンが特別なグループをチェックする（５１２）。メモリにグループが保存されていない場合、注意スクリーン５１４がユーザにアラートされ、グループ管理スクリーン５１０に戻る。少なくとも一つのグループが存在する場合、ユーザは、グループ選択スクリーン５１８から、グループを選択することができる。ハンドセット上に既に存在する特別なＰＴＴのみが、一実施形態において表示される。次いで、決定ブロック５２０において、グループ管理ルーチンは、グループが、削除され得る任意のメンバーを有するかどうかを確かめる。グループがメンバーを有しない場合、すなわち、ＰＴＴコンタクトがない場合、注意スクリーン５２６がユーザにアラートするために表示される。タイムアウトは、ブロック５２８において示されるように、コンタクトスクリーンなどの以前のスクリーンにユーザを戻す。メンバーがグループに存在する場合、グループから削除のスクリーン５２２が表示される。グループのメンバーが存在するＰＴＴコンタクトのみが表示される。最初に、メンバーはチェックされない。一実施形態において、ＰＴＴコンタクトをハイライトし、「ＯＫ」を押すと、グループからそのメンバーを削除するためのメンバーを、選択または選択解除する。スクリーン５２２に示された例において、「Ｔｏｎｙ  Ｇ」が削除するために選択される。「Ｒｅｍｏｖｅ」オプション４２３を選択すると、スクリーン５２４において確かめられたように、グループから選択されたメンバーまたは複数のメンバーを削除する。更新されたグループリストは、次いで、スクリーン４３０に表示される。最後に、表示はグループ管理スクリーン５１０に戻る。削除されたメンバーはＰＴＴコンタクトリストには存在するが、グループの一部ではなくなる。
【００６６】
図３１は、グループ名を編集するフロー図を示す。グループ管理スクリーン５４０において、「Ｅｄｉｔ  Ｇｒｏｕｐ  Ｎａｍｅ」オプションが選択される。決定ブロック５４２において示されるように、特別なグループがハンドセットに存在する場合、グループ選択スクリーン５４８が提示される。ユーザはグループを選択し、新しいグループ名スクリーン５５０上にて、新しいグループ名領域５５１が提示される。一実施形態において、現行の名前は編集のために領域５５１に表示される。グループ名が既に存在する場合、決定ブロック５５４において示されるように、ユーザは、異なる名前を入力するようにアラートする（５５２）。グループの名前が存在しない場合、新しい名前を保存する確認が表示され（５５６）、グループ名スクリーン５５８が表示され、ユーザは新しい名前を確認し得る。スクリーンは次いで、ブロック５６０に示されるように、グループ管理スクリーンなどのような、以前のスクリーンに戻る。
【００６７】
図３２は、データベースからグループを削除するフロー図を示す。グループ管理スクリーン５７０において、ユーザはグループを削除することを選択する。グループが存在しない場合（５７２）、ユーザは、注意スクリーン５７４によってアラートされ、表示は、ブロック５７６において示されるように、グループ管理スクリーンに戻る。グループがメモリに存在する場合、ユーザは、グループ削除スクリーン５７８においてグループを選択する。ユーザが選択されたグループを削除したいかを確認するために、確認スクリーン５８０が提示される。オプションが選択されない場合は、ユーザは、ブロック５８２に示されるように、グループ管理スクリーンに戻る。ｙｅｓオプションを選択すると、グループ削除スクリーン５８４によって確認され、グループを削除する。タイムアウト後またはキーの選択後、ブロック５８６に示されるように、表示はグループ管理スクリーンに戻る。グループがもはや存在しないが、削除されたグループのメンバーは、ＰＴＴコンタクトリストにおいて存在し続ける。
【００６８】
図３４は、ＰＴＴ性能を実現するための、従来技術のシステムの構成を示す。ＱｕａｌｃｏｍｍのＢＲＥＷ（Ｂｉｎａｒｙ  Ｒｕｎｔｉｍｅ  Ｅｎｖｉｒｏｎｍｅｎｔ  ｆｏｒ  Ｗｉｒｅｌｅｓｓ）（登録商標）などの、第三者のオープンソースアプリケーション６２４は、符号分割多重アクセスＣＤＭＡ技術に実装されるワイヤレス機器のための開発プラットフォームである。このアプリケーション６２４によって、開発者は、ＣＤＭＡチップセットに実装されるハンドセット上で作動する、携帯用アプリケーションを作成することができる。アプリケーション６２４は、第三者のｖｏｉｃｅ  ｏｖｅｒ  ｉｎｔｅｒｎｅｔ  ｐｒｏｔｏｃｏｌ（ＶＯＩＰ）６２０と、ハンドセット上のチップオペレーティングシステムソフトウェア６２６との間で実行される。オープンソースアプリケーション６２４は、システムインターフェースをコード化する必要なく、機器の機能性を使用する。アプリケーションは、キャリアーネットワークから、テキストチャット、改良型ｅメール（ｅｎｈａｎｃｅｄ  ｅ−ｍａｉｌ）、ロケーション配置、ゲームなどの、アプリケーションのダウンロードを用いて使用され得る。第三者のオープンソースアプリケーション６２４は、第三者ユーザインターフェース６２２を使用する。コンタクトリスト６２８および最近のコールリスト６３０はまた、第三者アプリケーションによって維持される。ハンドセットデータベース６３２は、第三者ソース６２８、６３０、６２２、６２０を介して利用可能となるコンタクト情報を格納する。プッシュツートーク環境において使用される場合、従来技術のオープンソースアプリケーションは、ＰＴＴコールを開始するための、コンタクト情報を格納、操作、および使用するための、使い勝手の良いインターフェースを可能にしない。
【００６９】
図３５は、ＰＴＴ環境において使用されるための、本発明の一実施形態のソフトウェア構成のブロック図を示す。この構成において、コンタクトリストおよび最近のコールリストは、第三者のオープンソースアプリケーション６３８、６３４、および、第三者のユーザインターフェース６３６を介して維持されない。むしろ、ハンドセット上のネイティブソフトウェアのオペレーティングシステムおよびユーザインターフェース６４２は、単一のネイティブデータベース６４０における最近のコールリストおよびコンタクトリストを維持する。コンタクト情報は、第三者のユーザインターフェース６３６から直接に集められる。ネイティブソフトウェアオペレーティングは、次いで、ここで検討されているように、ユーザフレンドリーなＰＴＴユーザインターフェース（それは、ネイティブハンドセットスクリーン表示と互換性がある）を作成するために、コンタクト情報を使用することができる。
【００７０】
図３６は、ここで記載される様々な実施形態と関連して使用され得るワイヤレス通信機器６５０を示すブロック図である。例えば、ワイヤレス通信機器６５０は、ハンドセットまたはＰＤＡネットワーク機器と供に使用され得るか、あるいは、メッシュ型無線ネットワーク（ｗｉｒｅｌｅｓｓ  ｍｅｓｈ  ｎｅｔｗｏｒｋ）におけるセンサノードの一部として使用され得る。しかしながら、他のワイヤレス通信機器および／または構成もまた、当業者に明らかであるように、使用され得る。例示された実施形態において、ワイヤレス通信機器６５０は、アンテナ６５２、マルチプレクサ６５４、低ノイズアンプ（「ＬＮＡ」）６５６、パワーアンプ（「ＰＡ」）６５８、変調回路６６０、ベースバンドプロセッサ６６２、スピーカ６６４、マイクロフォン６６６、中央処理ユニット（「ＣＰＵ」）６６８、データ格納領域６７０、およびハードウェアインターフェース６７２を含む。ワイヤレス機器６５０において、無線周波数（「ＲＦ」）信号が、アンテナ６５２によって送信および受信される。マルチプレクサ６５４は、スイッチとして動作し、送信信号経路と受信信号経路との間においてアンテナ６５２を結合する。受信経路において、受信されたＲＦ信号は、マルチプレクサ６５４からＬＮＡ６５６に結合される。ＬＮＡ６５６は受信されたＲＦ信号を増幅し、変調回路６６０の復調部分へ、増幅された信号を結合させる。復調器は、ＲＦキャリア信号を剥ぎ取り（ｓｔｒｉｐ  ａｗａｙ）、ベースバンド受信音声信号を残し、その音声信号は、変調器出力からベースバンドプロセッサ６６２へ送信される。
【００７１】
ベースバンド受信音声信号が音声情報を含む場合、ベースバンドプロセッサ６６２は、信号をデコードし、それを、アナログ信号に変換し、それをスピーカ６６４に送信する。ベースバンドプロセッサ６６２はまた、マイクロフォン６６６からアナログ音声信号を受信する。これらのアナログ音声信号はデジタル信号に変換され、ベースバンドプロセッサ６６２によってエンコードされる。ベースバンドプロセッサ６６２はまた、送信のためにデジタル信号をコード化し、変調回路６６０の変調器部分にルートされる、ベースバンド送信音声信号を生成する。変調器は、ベースバンド送信音声信号を、パワーアンプ６５８にルートされるＲＦ送信信号を生成するＲＦキャリア信号とミックスさせる。パワーアンプ６５８はＲＦ送信信号を増幅し、マルチプレクサ６５４へそれをルートし、そこで、その信号は、アンテナ６５２よる送信のために、アンテナポートにスイッチされる。
【００７２】
再び図３６を参照して、ベースバンドプロセッサ６６２はまた、データ格納領域６７０にアクセスを有する中央処理ユニット６６８と通信するように結合される。中央処理ユニット６６８は、データ格納領域６７０に格納され得る命令（すなわちコンピュータプログラムまたはソフトウェア）を実行するように構成される。コンピュータプログラムはまた、ベースバンドプロセッサ６６２から受信され得、データ格納領域６７０において格納され得、または、受信すると実行され得る。そのようなコンピュータプログラムは、実行された場合、ワイヤレス通信機器６５０に、前述したように、本発明の様々な機能を実行させることができる。
【００７３】
図３７は、ここで記載される様々な実施形態に関連して使用され得るコンピュータシステム７５０を示すブロック図である。しかしながら、他のコンピュータシステムおよび／または構成が、当業者に明らかであるように、使用され得る。コンピュータシステム７５０は、標準または非標準の通信バス７５４に接続される一つ以上のプロセッサ７５２を含む。コンピュータシステム７５０はメインメモリ７５６を含み、補助記憶装置７５８もまた含み得る。メインメモリ７５６は、プロセッサ７５２上で実行されるプログラムのための命令およびデータの記憶装置を提供する。補助記憶装置７５８は、例えば、ハードディスクドライブ７６０、または、リムーバブル媒体７６４を用いて使用されるリムーバブル記憶装置ドライブ７６２を含み得る。代替的な実施形態において、補助記憶装置７５８は、他の外部の記憶装置媒体７７２およびインターフェース７７０を含み得、コンピュータプログラム、または他のデータ、あるいは命令を、コンピュータシステム７５０にロードさせることが可能である。
【００７４】
コンピュータシステム７５０はまた、通信インターフェース７７４を含み得、ソフトウェアおよびデータが、コンピュータシステム７５０と外部機器（例えばプリンタ）、ネットワーク、または情報ソースとの間にて転送されることが可能である。通信インターフェース７７４を介して転送されるソフトウェアおよびデータは、一般に、通信チャンネル７７６を介した通信インターフェース７７４へ提供される電気通信信号７７８の形式である。通信チャンネル７７６は、信号７７８を運び、ワイヤまたはケーブル、光ファイバ、従来の電話線、セル式電話リンク、無線周波数（ＲＦ）リンク、あるいは赤外線リンクなどを含む、様々な通信手段を使用して、インプリメントされ得る。
【００７５】
本明細書に含まれる記載および図面は、本発明の特定の実施形態であり、本発明によって考慮される広い保護対象の代表である。しかしながら、本発明は、当業者に明らかである他の実施形態を包括するものである。従って、本発明の範囲は、添付された請求の範囲によってのみ限定される。
【図面の簡単な説明】
【００７６】
【図１ａ】閉じた態様におけるＰＴＴワイヤレス通信機器の図である。
【図１ｂ】開いた態様における、図１ａのＰＴＴワイヤレス通信機器である。
【図２ａ】本発明の好ましい実施形態におけるユーザインターフェースのブロック図であり、電話コンタクトリストおよびＰＴＴコンタクトリストの両方を使用する単一のデータベースを利用する。
【図２ｂ】グループ入力利用ポインタの図である。
【図３ａ】単一のデータベースおよび単一の電話リストを利用する従来技術のＰＴＴユーザインターフェースのブロック図である。
【図３ｂ】二つのデータベースおよび二つのコンタクトスクリーンを利用する従来技術のＰＴＴユーザインターフェースのブロック図である。
【図４】ＰＴＴユーザインターフェースにて利用され得る様々なアイコンの図である。
【図５】ＰＴＴワイヤレス通信機器のためのパワーアッププロセスのフロー図である。
【図６】コールの起点が、「閲覧ＰＴＴ」コンタクトリストからである場合の、ＰＴＴダイレクトコールのフロー図を示す。
【図７】ＰＴＴコールまたは標準の音声コールを配置するために、ＰＴＴコンタクトまたは全てのコンタクトリストからのコンタクト情報を見出す、フロー図を示す。
【図８】ＰＴＴコールのログインプロセスのフロー図を示す。
【図９】ユーザが利用可能ではない場合の、ＰＴＴコールのための接続スクリーンを示す。
【図１０】ユーザがＰＴＴコールを受信するフロー図を示す。
【図１１】「閲覧ＰＴＴコンタクト」リストからのグループコールの起点のフロー図を示す。
【図１２】ユーザがＰＴＴコンタクトリストから、グループを閲覧および／または編集することを選択する場合に表示されるスクリーンを示す。
【図１３】ユーザが全てのコンタクトリストから、グループを閲覧および／または編集することを選択する場合に表示されるスクリーンを示す。
【図１４】多数のコンタクトを選択することによる、特別なＰＴＴコールの起点のフロー図を示す。
【図１５】グループＰＴＴコールに対する、ＰＴＴコール起点の結果のフロー図を示す。
【図１６】他のコールがアクティブではない場合に、グループＰＴＴコールを受信する、フロー図を示す。
【図１７】新しい番号を追加する個人の視座から、新しい番号を、アクティブなＰＴＴダイレクトコールに追加する、フロー図を示す。
【図１８】別の参加者がメンバーにコールを追加する場合、ダイレクトコールにおける参加者によって閲覧されるスクリーンを示す。
【図１９】現在のグループコールにおいて、参加者のコンタクトを保存するために選択されるユーザのフロー図を示す。
【図２０】ＰＴＴコールが切断され得る方法のフロー図を示す。
【図２１】アラートを別のＰＴＴユーザに送信するステップのフロー図を示す。
【図２２】アラートを別のＰＴＴユーザから受信するフロー図を示す。
【図２３】ＰＴＴコールがアクティブである場合にＰＴＴコールを受信するフロー図を示す。
【図２４】ダイレクトＰＴＴコールを開始するために、または最近のＰＴＴコールを閲覧するために、ユーザがコール履歴にアクセスする、フロー図を示す。
【図２５】受信されたグループＰＴＴコールのコンタクトにアクセスするために、ユーザがコール履歴にアクセスする、フロー図を示す。
【図２６】グループＰＴＴコールに加わるために、ユーザが選択する、フロー図を示す。
【図２７】ＰＴＴコンタクトを、ワイヤレス通信機器のデータベースに追加する、フロー図を示す。
【図２８】ワイヤレス通信機器上に、「特別の」ＰＴＴグループを作成する、フロー図を示す。
【図２９】メンバーを現行のＰＴＴグループに追加する、フロー図を示す。
【図３０】現行のＰＴＴグループからメンバーを外す、フロー図を示す。
【図３１】ＰＴＴグループ名を編集するフロー図を示す。
【図３２】データベースからグループを削除するフロー図を示す。
【図３３】ＰＴＴ可能なワイヤレス機器の一実施形態にて利用される、ワイヤレス通信ネットワークを示す。
【図３４】従来技術のＰＴＴを可能にする、第三者のユーザインターフェースおよびアプリケーションの使用を示す。
【図３５】本発明の一実施形態のＰＴＴを可能にする、もともとのデータベースおよびユーザインターフェースの使用を示す。
【図３６】本明細書に記載される様々なＰＴＴの実施形態に関連して使用され得る、ワイヤレス通信機器を示すブロック図である。
【図３７】本明細書に記載される一つのＰＴＴの実施形態を用いて使用され得る、コンピュータシステムのブロック図である。
【図１ａ】
2007513592.tif 000004
【図１ｂ】
2007513592.tif 000005
【図２ａ】
2007513592.tif 000006
【図２ｂ】
2007513592.tif 000007
【図３ａ】
2007513592.tif 000008
【図３ｂ】
2007513592.tif 000009
【図４】
2007513592.tif 000010
【図５】
2007513592.tif 000011
【図６】
2007513592.tif 000012
【図７】
2007513592.tif 000013
【図８】
2007513592.tif 000014
【図９】
2007513592.tif 000015
【図１０】
2007513592.tif 000016
【図１１】
2007513592.tif 000017
【図１２】
2007513592.tif 000018
【図１３】
2007513592.tif 000019
【図１４】
2007513592.tif 000020
【図１５】
2007513592.tif 000021
【図１６】
2007513592.tif 000022
【図１７】
2007513592.tif 000023
【図１８】
2007513592.tif 000024
【図１９】
2007513592.tif 000025
【図２０】
2007513592.tif 000026
【図２１】
2007513592.tif 000027
【図２２】
2007513592.tif 000028
【図２３】
2007513592.tif 000029
【図２４】
2007513592.tif 000030
【図２５】
2007513592.tif 000031
【図２６】
2007513592.tif 000032
【図２７】
2007513592.tif 000033
【図２８】
2007513592.tif 000034
【図２９】
2007513592.tif 000035
【図３０】
2007513592.tif 000036
【図３１】
2007513592.tif 000037
【図３２】
2007513592.tif 000038
【図３３】
2007513592.tif 000039
【図３４】
2007513592.tif 000040
【図３５】
2007513592.tif 000041
【図３６】
2007513592.tif 000042
【図３７】
2007513592.tif 000043
【国際調査報告】
2007513592.tif 000044
2007513592.tif 000045
2007513592.tif 000046